(57)【要約】【課題】  装置本体から引き出して使用するタイプの取手の操作性を改善することを特徴とする画像形成装置を提供する。【解決手段】  装置本体１の４隅に装置本体１から引出し可能な運搬用の取手１００が設けられている画像形成装置において、取手１００には端部突起１０１が設けられ、装置本体１には、２箇所の係合部１１、１２と、取手１００の引出し方向に付勢する弾性部材１３および取手１００と装置本体１の係合部１１、１２が噛合う方向に付勢する弾性部材１４とが設けられている。【選択図】  図２
2005077988.tif 000002
【特許請求の範囲】
【請求項１】
装置本体の４隅に装置本体から引出し可能な運搬用の取手が設けられている画像形成装置において、取手には端部突起が設けられ、装置本体には、２箇所の係合部と、取手の引出し方向に付勢する弾性部材および取手と装置本体の係合部が噛合う方向に付勢する弾性部材とが設けられていることを特徴とする画像形成装置。
【請求項２】
取手が引き出し位置にあり、且つ引き出し状態で荷重がかかったときに、取手の位置を固定するための係合部が装置本体に設けられていることを特徴とする請求項１に記載の画像形成装置。
【請求項３】
取手の収納位置における有無を検知および表示する機能を有することを特徴とする請求項１に記載の画像形成装置。
【発明の詳細な説明】
【技術分野】
【０００１】
本発明は、装置本体の４隅に装置本体から引出し可能な運搬用の取手が設けられている画像形成装置に関するものである。
【背景技術】
【０００２】
装置本体の４隅に装置本体から引出し可能な運搬用の取手が設けられている小型、軽量の画像形成装置が広く知られている。
【０００３】
画像形成装置本体から引き出し可能な運搬用の取手に関する従来技術としては、特許文献１に開示される「画像形成装置の運搬具」がある。
【特許文献１】実用新案登録第２５５７７６６号公報
【発明の開示】
【発明が解決しようとする課題】
【０００４】
画像形成装置の運搬用取手は、装置の運搬時以外は使用しないため簡便な構造で構成することを優先し、特に装置本体から引出して使用するタイプの取手については、不使用時の収納性／外観を優先し、取手の引き出し／収納時の操作性については重要視されていない。
【０００５】
例えば、上記特許文献１に記載の発明は、退避状態にしたハンドル（取手）と画像形成装置の本体部底面とが当接する構造であるため、本体部底面周縁から突出するようにハンドルを配置せざるを得ない。しかし、本体底面からハンドルを引き出す構造とすると、ハンドルの引き出し／収納時の操作性は良好とはいえなくなってしまう。
さらに、特許文献１に記載の発明は、ハンドルを画像形成装置の本体部の底面周縁から突出するように配置しなければならないため。外観上でも制約を受けることとなってしまう。
【０００６】
本発明は、装置本体から引き出して使用するタイプの取手の操作性を改善することを目的とする。
【課題を解決するための手段】
【０００７】
上記目的を達成するために、請求項１記載の発明は、装置本体の４隅に装置本体から引出し可能な運搬用の取手が設けられている画像形成装置において、取手には端部突起が設けられ、装置本体には、２箇所の係合部と、取手の引出し方向に付勢する弾性部材および取手と装置本体の係合部が噛合う方向に付勢する弾性部材とが設けられている画像形成装置を最も主要な特徴とする。
【０００８】
請求項２記載の発明は、取手が引き出し位置にあり、且つ引き出し状態で荷重がかかったときに、取手の位置を固定するための係合部が装置本体に設けられている請求項１に記載の画像形成装置を主要な特徴とする。
【０００９】
請求項３記載の発明は、取手の収納位置における有無を検知および表示する機能を有する請求項１に記載の画像形成装置を主要な特徴とする。
【発明の効果】
【００１０】
請求項１に記載の画像形成装置は、取手収納時に２方向から付勢しているので、収納時の確実な位置固定とその固定位置からの解除を簡単な操作ででき、操作性が向上する。
【００１１】
請求項２に記載の画像形成装置は、使用位置（引き出し位置）で且つ荷重がかかった時のみ取手の位置を固定するので、使用時の取手位置の安定性が確保でき、且つ収納に際してロック解除等の特別な操作を必要としない。
【００１２】
請求項３に記載の画像形成装置は、取手が収納位置に無いことを検知できるので、使用後の収納忘れ等、取手が装置本体から突出している状態を防止できる。また取手が収納位置に収まった時に音を発生させるようにすれば、確実に収納できたことを使用者に知らせることができる。
【発明を実施するための最良の形態】
【００１３】
以下、本発明の実施の形態を図面に従って説明する。
図１は取手を有する画像形成装置の外観斜視図である。装置本体１に対して、その４隅に装置本体１から引出し可能な運搬用の取手１００が設けられている。運搬時に装置本体１から取手１００を引出し、取手１００を持って装置本体１を持ち上げ移動を行う。また、不使用時は取手１００を装置本体１に収納（押込み）しておく。
【００１４】
図２（１）〜（３）は本発明の第１の実施の形態に係る画像形成装置における取手の動きを示す図である。取手１００には装置本体１の係合部１１、１２に係合可能な端部突起１０１が設けられている。取手１００の収納時は端部突起１０１と係合部１１が係合し、また引出し時には端部突起１０１と係合部１２が係合することで収納時、使用時の取手１００の位置が決められる。
【００１５】
一方、装置本体１には取手１００を付勢する弾性部材１３、１４が設けられている。弾性部材１３は取手１００の引出し方向に、弾性部材１４は端部突起１０１と係合部１１が噛合う方向に付勢している。
【００１６】
取手１００の収納時には、端部突起１０１と係合部１１が係合し更に取手１００は弾性部材１４で付勢されているので、取手１００を確実に収納位置に固定できる。また、取手１００を使用する時の引出し時には取手１００の先端部１００Ａを（２）に示すように押し下げることにより、端部突起１０１と係合部１１の係合が外れる。
【００１７】
このとき取手１００は弾性部材１３によって引出し方向に付勢されていることにより、（３）に示すように簡単に取手１００を装置本体１の外方に取り出すことができる。また、取手１００を最大限に引出した使用位置においては、端部突起１０１と係合部１２が係合し取手１００が抜けない構造になっている。
【００１８】
図３（１）、（２）は本発明の第２の実施の形態に係る画像形成装置における取手の動きを示す図である。係合部１１と１２の間に係合部１５を設ける。係合部１５は係合部１２から端部突起１０１の長さ以上の距離を取り設けられる。
【００１９】
取手１００の使用時には、取手１００を掴んで装置本体１を持ち上げることによって取手１００には（２）に示すように矢印Ｓ方向の荷重が架かるため、端部突起１０１と係合部１２、１５の係合がより確実になり、装置運搬時に取手１００位置が移動する可能性が無くなり、操作が安定する。
【００２０】
図４は本発明の第３の実施の形態に係る画像形成装置における取手部分の構成を示す図である。装置本体１にセンサ（例は反射型センサ）１６が設けられており、取手１００の端部位置（端部突起１０１の位置）を検出することで取手１００が収納位置にあるのを検出可能になっている。
【００２１】
取手１００を引出すとセンサ１６がこれを検知し、図示しない表示部に『取手使用中』であることを表示する。これにより、取手１００が収納位置に無いこと、言い替えると装置本体１の外方に引き出されて使用中であることを使用者に知らせることが可能となる。
【００２２】
図５（１）〜（３）は本発明の第４の実施の形態に係る画像形成装置における取手の動きを示す図である。取手１００の下方にあって、装置本体１に検知手段１７（図の例はスイッチ）が設けられている。取手１００の収納位置においては取手１００に設けられた中央突起１０３を検知しており、この状態を通常の状態と判断する。逆に中央突起１０３が検知手段１７に検知されていない場合には、使用者が設定可能な一定時間後に表示部へその旨表示し通常状態ではないことを知らしめる。
【００２３】
取手１００の使用時には取手１００を引出すことで検知手段１７による中央突起１０３の検知が解除され、取手１００が通常位置に無いことが検知できる。しかし、装置本体１の運搬で取手１００に荷重がかかると、取手１００の傾きにより端部突起１０１が検知手段１７に検出され装置本体１側は通常位置と認識し表示はしない。
【００２４】
装置本体１の運搬後、取手１００を収納位置に戻さないでおいた場合には、取手１００に荷重がかかっていないため通常状態と認識せず、設定した時間後にその旨表示することで取手１００の収納忘れを防止することができる。また検知手段１７が取手１００が装置本体１に収容されていることを検知した時にブザー等の音を発生させることで、取手１００が収納位置に収まったことを使用者に知らせることができる。
【図面の簡単な説明】
【００２５】
【図１】取手を有する画像形成装置の外観斜視図である。
【図２】（１）〜（３）は本発明の第１の実施の形態に係る画像形成装置における取手の動きを示す図である。
【図３】（１）、（２）は本発明の第２の実施の形態に係る画像形成装置における取手の動きを示す図である。
【図４】本発明の第３の実施の形態に係る画像形成装置における取手部分の構成を示す図である。
【図５】（１）〜（３）は本発明の第４の実施の形態に係る画像形成装置における取手の動きを示す図である。
【符号の説明】
【００２６】
１    装置本体
１１、１２    係合部
１３、１４    弾性部材
１００    取手
１０１    端部突起
【図１】
2005077988.tif 000003
【図２】
2005077988.tif 000004
【図３】
2005077988.tif 000005
【図４】
2005077988.tif 000006
【図５】
2005077988.tif 000007